(57)【要約】      （修正有）【課題】ネイルアートの普及に伴い、使用するネイルアート用有機溶剤に含まれる揮発性ガスによる人体への影響を少なくする有効な装置を提供する。【解決手段】ネイルアートを行う際に使用する、有機溶剤の揮発ガスの拡散を防止するための作業空間となるドラフトチャンバー１と、同ドラフトチャンバー  内の上記揮発ガスを吸引し、外部へ放出する吸引・放出装置と、同吸引・放出装置により吸引された上記揮発ガスを吸着・脱臭するフィルター装置１６、１７、１８と、同フィルター装置を通過したガスを中和する中和剤２０とを備えた有機溶剤の揮発ガス吸着・脱臭装置。【選択図】図３
2007098375.tif 000002
【特許請求の範囲】
【請求項１】
ネイルアートを行う際に使用する、有機溶剤の揮発ガスの拡散を防止する為の作業空間となるドラフトチャンバーと、同ドラフトチャンバー内の上記揮発ガスを吸引し、外部へ放出する吸引・放出装置と、同吸引・放出装置により吸引された上記揮発ガスを吸着・脱臭するフィルター装置と、同フィルター装置を通過したガスを中和する中和剤とを備えた事を特徴とする有機溶剤の揮発ガス吸着・脱臭装置
【請求項２】
上記吸引・放出装置の放出部近傍に、マイナスイオン発生装置でマイナスイオンを発生させ、上記フィルター装置を通過したガスと共に放出させる事を特徴とする、請求項１記載の有機溶剤の揮発ガス吸着・脱臭装置
【請求項３】
上記吸着フィルター装置は、上流側がアクリル酸、アセトン等を吸着する活性炭フィルター、下流側がアセトアルデヒドを中和するケミカル・フィルターを備えたことを特徴とする、請求項１記載の有機溶剤の揮発ガス吸着・脱臭装置
【請求項４】
上記フィルター装置の活性炭フィルターは、上記揮発吸引ガスの流れに沿って複数段に分割され、上段側の活性炭密度が下段側の活性炭密度より大きいことを特徴とする、請求項１記載の有機溶剤の揮発ガス吸着・脱臭装置
【請求項５】
上記中和剤は、カチオン系高分子スルホン酸基を主成分とし、ホルムアルデヒドを中和する中和剤であると同時にアクリル酸、アセトンの微量ガスも中和することを特徴とする、請求項１記載の有機溶剤の揮発ガス吸着・脱臭装置
【請求項６】
上記フィルター装置に吸引された上記揮発ガスが、上記フィルターの全面を均等に通過するよう上記フィルター装置の上流側にガイド部材を設けたことを特徴とする、請求項１記載の有機溶剤の揮発ガス吸着・脱臭装置
【請求項７】
上記フィルター装置、上記中和剤、および吸引・放出装置とを内部に、上記揮発ガスの流れに沿い順次配設した処理装置本体、同処理装置本体の上部に上記ドラフトチャンバーを載置し、ドラフトチャンバー内の揮発ガスを直接、上記処理装置本体内に導く様にしたことを特徴とする、請求項１記載の有機溶剤の揮発ガス吸着・脱臭装置
【請求項８】
上記処理装置本体に、上記ドラフトチャンバーを一体に結合させた事を特徴とする、請求項７記載の有機溶剤の揮発ガス吸着・脱臭装置
【発明の詳細な説明】
【技術分野】
【０００１】この発明は、ネイルアート用有機溶剤の揮発ガス処理に関するもので、ドラフトチャンバー内で開封した揮発性の高い有機溶剤の入ったビンや容器から揮発するガスを、ドラフトチャンバー内でほぼ１００％吸引・収集することにより吸着・脱臭処理装置本体に送り込み、特殊吸着処理用のフィルターおよび中和剤で吸着・脱臭させ、さらにマイナスイオンを放出させ、爽やかな環境を創出する特徴ある方法および装置に関するものである。
［従来の技術］【０００２】従来から指の手入れをするネイリストは、有機溶剤を作業テーブルの上に置いて作業するため、揮発ガスは室内に拡散・充満し、直接作業するネイリストは勿論、同じ部屋にいる他のネイリストやネイルアートを受けるお客がこれを吸い込むことになり、更に健康上極めて悪く問題である。
室内の臭気除去に関して、現状では何も対策しない店舗がほとんどだが、店によっては換気扇で排出する方法や、極まれに空気清浄機を使用するのが一般的である。
しかし、一般的に使われる空気清浄機あるいは脱臭装置は、タバコやホコリ、ごみ等で汚れた空気を清浄・脱臭するのが目的であって、それ以上の効果は期待できず、有機溶剤揮発ガスの吸着・脱臭は不可である事は一般に認められている。
［発明により解決しようとする課題］【０００３】ネイリストが揮発ガスを吸わないようにする為には、揮発ガスを室内に拡散させずに一カ所に収集する、と同時に収集した有毒ガスを特殊フィルター処理により吸着・脱臭し、ネイリスト及びお客がこれを吸い込まない様にすると共に、揮発ガスを大気に放出しないようにする有効な装置を提供する。
ネイルアートの人気上昇と共に、ここ数年間にネイルサロンが飛躍的に増加し、ネイリストを目指す若い女性の間で魅力ある職場として話題になっている。
一方ネイルアートで不可欠なアクリルリ酸やアセトンには人体に有害な有機溶剤が含まれており、揮発性の高いこの揮発ガスを連日吸い続ける事の無い様にする有効な装置を提供する。
【課題を解決するための手段】
【０００４】上記課題を解決するために、本発明においては次のような手段を講ずることとした。
即ち請求項１記載の発明は、有機溶剤の揮発ガスの拡散を防止するドラフトチャンバーと、同ドラフトチャンバー内の上記揮発ガスを吸引し外部へ放出する吸引・放出装置と、同吸引・放出装置により吸引された上記揮発ガスを吸着するフィルター装置と、同フィルター装置を通過したガスを中和する中和剤とを備えた有機溶剤の揮発ガス吸着・脱臭装置を特徴とするものである。
また、請求項２記載の発明は、上記吸引・放出装置の放出部近傍に、マイナスイオン発生装置でマイナスイオンを発生させ、上記フィルター装置を通過したガスと共に放出させる事を特長とする。
また、請求項３記載の発明は、上記吸着・脱臭フィルター装置は、吸着の上流側がアクリル酸、アセトン等を吸着する活性炭フィルター、下流側がアセトアルデヒドを中和するケミカルフィルターを備えたことを特徴とする
また、請求項４記載の発明は、上記フィルター装置の活性炭フィルターは、上記揮発吸引ガスの流れに沿って複数段に分割され、上段側の活性炭密度が下段側の活性炭密度より大きいことを特徴とする。
【０００５】また、請求項５記載の発明は、上記中和剤は、カチオン系高分子スルホン酸基を主成分とし、主体はホルムアルデヒドを中和する中和剤であることを特徴とする。
また、請求項６の記載によれば、上記処理装置本体フィルターに吸引された上記揮発ガスが、上記フィルターの全面を均等に通過するよう上記フィルター装置の上流側にガイド部材を設けた事を特徴とする。
また、請求項７の記載によれば、上記フィルター、上記中和剤、および吸引・放出装置等を内部に上記揮発ガスの流れに沿い、順次配設した処理装置本体と、同処理装置本体の上部に上記ドラフトチャンバーを載置し、ドラフトチャンバー内の揮発ガスを直接上記処理装置本体内に導く様にしたことを特徴とする。
また、請求項８の記載によれば、上記処理装置本体に、上記ドラフトチャンバーを一体に結合させた事を特徴とする。
【発明の効果】
【０００６】請求項１記載の発明によれば、ドラフトチャンバー内で揮発した有機溶剤揮発ガスは吸引・放出装置により吸引され、吸着・脱臭フィルター装置により揮発ガスは吸着・脱臭され、同フィルター装置を通過したガスは若干悪臭が残っているが、中和剤により中和されて悪臭は消され室内又は室外へ放出されるので、人体に悪い影響を及ぼす有機溶剤から身が守られる。
請求項２記載の発明によれば、マイナスイオン発生装置を排気口に取付けて、室内に絶えずマイナスイオンを発生させ、人に優しい爽やかな快い環境を演出してくれ、更に揮発ガスの吸着効果も期待できるので、マイナスイオン発生装置の効果は大きい。
請求項３記載の発明によれば、上記吸着・脱臭フィルター装置は、吸着の上流側の活性炭フィルターがネイルアート用アクリル酸、アセトンなどの有機溶剤揮発ガスを吸着・脱臭し、下流側のケミカルフィルターは、ネイルアート用有機溶剤に含有されるアセトアルデヒドを中和し、人体に優しい放出ガスとなる。
請求項４記載の発明によれば、上記上流側の活性炭フィルターは、上下複数段に分割され、上段側の活性炭密度が下段側の活性炭・濃度より、順次高くなっているので、上段側のフィルターのアクリル酸、アセトン等の吸着量が大きく、上段側フィルターで吸着されなかった上記有機溶剤揮発ガスを下段側で吸着するようにしたので、フィルター交換時が同時になり、メンテナンスが容易になる。また、フィルターを複数段にしたので、有機溶剤揮発ガスの吸着漏れを確実に防ぐ効果を有している。
【０００７】請求項５記載の発明によれば、中和剤はカチオン系分子スルホン酸基を主成分としているので、ホルムアルデヒドを中和すると共に、上記活性炭素フィルターで処理されずに通過してきた微量のアクリル酸（人体の健康に悪影響及ぼす）も化学反応で消臭するため、お客の集まる美容室でも爽やかな空間を保つことができる。
また、請求項６記載の発明によれば、上記吸着・脱臭フィルター装置の上流側に吸引された上記揮発ガスの流れを変え、フィルター装置全面を均等に通過するようにしたので、有機溶剤の吸着にむらがなく、効率的に行われるので、使用期間が長くなりランニングコストも節約できるメリットがある。
また、請求項７記載の発明によれば、上記吸着・脱臭処理装置本体の内部に、上記揮発ガスの流れに沿い上流から順次上記吸着・脱臭フィルター装置、上記中和剤及び吸引・放出装置と配置したので、フィルター装置をガスが通りやすく、揮発ガスの吸着が効率よく行われる。
また、請求項８記載の発明によれば、上記処理装置本体に上記ドラフトチャンバーを一体的に結合させたので、揮発ガスを導く連結ダクトが不用となり、かつ装置全体がコンパクトになるため、上記処理装置を配置する室のスペースも小さくする事が可能となり、装置のコスト及び装置利用のランニングコストも節約できる。
［発明を実施するため最良の形態］
【０００８】以下において、本発明の実施形態について、図１及至図６に基ついて詳述する。
本実施の形態に係わるネイルアート用有機溶剤の揮発ガス吸着・脱臭装置は、図１、２、３に示すように、ドラフトチャンバー１は図２に示す通り外形の断面形状が下部はほぼ平行で、上部は半円形状をしてほぼかまぼこ型で、中空をなしかまぼこ型長手方向に沿う両側面の、上記ほぼ平行な面の一方には図１に示す通りネイリストが挿入する第１の開口部２と、他方の面にはネイルアートのお客が挿入する第２の開口部３が各々設けられている。図２に示す通り長手方向に直角な両側面は壁で閉塞されている。
また、上記長手方向に直角の閉塞された両側壁の一方にはドラフトチャンバー１内の換気のためのスリット７が設けられており、また当該部にはほこりの侵入を防ぐ為フィルター８が配設されている。他方の側壁にはドラフトチャンバー内の上記揮発ガスを吸引するための吸引ダクト１１が接続される排出孔９が設けられている。
【０００９】図１、２に示す通り、ドラフトチャンバー１の第１の開口部２は、ネイリスト作業用開口部でネイリストはこの開口部２を活用して、ネイル作業を行う。本実施例の場合、ネイリストが両手で作業出来るように上記第１の開口部２は２個の円形状の孔が設けられている。
同様に、ドラフトチャンバー１の長手方向反対側の開口部３はネイル客用の開口部で、ネイル客はこの開口部３を活用してネイル作業を受ける。本実施例の場合、お客が出来栄えを比較して確認出来るように、両手を挿入出来るように２個の円形状の孔が設けられている。
上記の開口部２＆３は、本実施例ではネイリスト用２個、ネイル客用２個、合計４個明けている。
ドラフトチャンバー１の上記開口部２＆３の孔は、気密性を高める為、それぞれの開口部は、手が挿入できる程度の大きさの孔であることが好ましい。
ただし、ネイリストの作業性面即ち作業する手を拘束する事なく自由度を与える事及び腕の拘束を嫌うネイル客に自由度を持たせる事から、気密性は損なわれるが一体形状の大きな孔を空けても良い。
【００１０】ドラフトチャンバー１の内部気圧は、吸引ダクト１１で吸引されると負圧となる為、上記ドラフトチャンバー１内の揮発ガス空気は外部へ洩れない事を特徴としている。
【０１１】また、ドラフトチャンバー１内には、図１に示す通り、ネイリストがネイル作業を行う際の腕又は手首を載置する作業台４、お客が腕又は手首を載置するレスト台５、及びネイルアートに作業に必要なマニキュア、マニキュアを剥がす除光液及び筆などを載置するエリア６が設けられている。
【００１２】また、ドラフトチャンバー１は、作業内容が視認できるように透明なガラス又は有機溶剤に反応しない透明な樹脂でできている事が特徴であり、作業台４が外部から見えて作業内容を確認出来る事から、お客とのトラブルを未然に防止することができる。
また、図２に示す通り、ドラフトチャンバー１  の上記両側面の一方の側面に、複数のスリット状外気取入口７が設けられており、ホコリの侵入を防ぐ為、当該部にはフィルター８が配置されている。
上記ドラフトチャンバー１内の両側面の他方には、有機溶剤揮発ガスを含んだ空気を排出するための排出孔９が設けられている。
図１，３に示す通り、上記排出孔９には、有機溶剤揮発ガスを吸着・脱臭する、上記揮発ガス吸着・脱臭処理装置本体１２にドラフトチャンバー１内の空気を流す連結ダクト１１の一方が連結されている。
【００１３】上記連結ダクト１１の他方は、図３に示す通り、上記吸着・脱臭処理装置本体１２の上記連結部１３に結合されており、連結ダクト１１とは、密着させて結合し緩んで隙間が生じない様にバンド１０で固定する。
上記連結ダクト１１は、内部抵抗の少ないものとする事が望ましく、かつ長さは短く曲がりの少ない方が抵抗は少なく揮発ガスの流れも良く、吸引・放出装置であるモーター２１およびファン２２の吸引効率も向上する。
【００１４】上記揮発ガス吸着・脱臭処理装置本体１２は図３に示す通り、上記連結部１３、下流側に上記ガイド部材１４、上記各フィルター１５〜１８、上記中和剤２０、上記吸引・放出装置モーター２１、ファン２２及びイオン発生装置２３、排出口２５の順で配置されている。
上記ガイド部材１４は上記揮発ガスが、上記ガイド部材１４の内部に設けられているガイドフィン１４ａによりガイドされ、上記各フィルター１５〜１８の全面で有機溶剤を吸着することにより、上記各フィルター１５〜１８の吸着量が大きくなり、上記各フィルター１５〜１８の交換時期が長くなり利用コストが下がる。
【００１５】図３に示す通り、上記活性炭素フィルターは複数段に分割（本実施例では上下二段１６、１７）されており、上段の上記活性炭素フィルター１６は下段の上記活性炭フィルター１７より、活性炭素密度が大きい事を特徴とする。
上記上段活性炭素フィルター１６は、有機溶剤吸着材の付着密度を大きくした高密度用を目的とした物で、これに対応するため高密度用として作られたフィルターであり、効果的に吸着・脱臭処理が行われる。
即ち、ドラフトチャンバー１から送られるネイルアート用アクリル酸、アセトン等有機溶剤の濃度は非常に高く、吸着の上記上段フィルター１６で効果的に吸着処理される。
上記上段フィルター１６は、粒状活性炭素を不織布の間に挟み込んだ機能粉体シートで、シート状の物をプリーツ織りしたものであるが、粒状活性炭素をプリーツ織りの間に適量含ませて作られたフィルターである。
更に上記上段フィルター１６は、粒状の活性炭素の状態で細かく分割された収納箱（例えば、ハニカム）、あるいは上記のプリーツ織りした不織布に収納され、上面、下面は通気性の良い、破れ難い薄い紙で抑えたフィルターも使用される。
【００１６】上記下段活性炭フィルター１７は中密度処理用で、上記上段活性炭フィルター１６同様に活性炭素を不織布に貼り付けてプリーツ織りしたものであるが、活性炭素の量は高密度用の上記上段フィルター１６に比べて、揮発ガスの濃度が低下した分少な目に設定する。
更に、上記上段活性炭素フィルター１６同様に、活性炭素は粒状の状態で、細かく分割された収納箱（例えばハニカム）に収納され、上面、下面は通気性の良い破れ難い薄い紙で抑えたフィルターが使用されることもある。
上記上段活性炭素フィルター１６を通過した有機溶剤揮発ガスは、吸着もかなり進み濃度も薄まっているので、中濃度処理用の上記下段活性炭素フィルター１７で処理されるのは、非常に合理的でコスト面からも有利となる。
これに伴い、上記活性炭素各フィルターの寿命が上段活性炭素フィルター１６、下段活性炭素フィルター１７共ほぼ同時となる事を配慮して配列されており、この配列は合理的で大きな特徴である。
【００１７】ネイルサロンはスペースが狭い所が多いので、上記吸着・脱臭処理装置本体１２をコンパクトに纏めることが大きな課題の一つであり、このことはフィルターを如何にコンパクトに、効率よく纏めるかにかかっている。
上記吸着・脱臭処理装置本体１２をコンパクトに纏める為の一つの方法として、上記上段活性炭素フィルター１６、上記下段活性炭素フィルター１７は、広げると面積は広いがプリーツ織りしてコンパクトに作られている特長がある。
これに伴い、上記上段活性炭素フィルター１６、上記下段活性炭素フィルター１７は、上記吸着・脱臭処理装置本体１２にスペース効率良く収納され、上記吸着・脱臭処理装置本体１２をコンパクトに製作する事が可能となった点が大きな特徴である。
活性炭素の量は目的に適合するよう設定されておりそれぞれ異なるが、当該品はプリーツ織りしている為、通気性に優れていると同時に、ガスとの接触時間も長く吸着効率に優れている。
上記上段活性炭フィルター１６、上記下段活性炭フィルター１７は紙製のフレームに納められており、廃棄が容易になるよう或いはリサイクルし易い様に配慮されている。
【００１８】上記下流側ケミカルフィルター１８は、無機系粉体／アミン系化合物を不織布にしみ込ませており、混合比は状況に応じて調整される。
上記ケミカルフィルター１８は、ネイル用有機溶剤に含有されるアセトアルデヒド、およびその他低濃度有機溶剤の化学反応による除去を目的とした事が特徴であり、吸着の効果は顕著である。
上記ケミカルフィルター１８は、紙製のフレームに取付けられており、一般的に見られる金属枠（例えばＡＬ）にフィルターをはめ込んだものとは異なり、廃却はフレーム毎可能となりフィルターの交換作業が容易となるのが特徴である。
上記揮発ガス吸着・脱臭処理装置本体１２に吸引されてきた揮発ガスが、上記各フィルター１５〜１８の外に漏れて通過することのないように、全て各フィルター１５〜１８を通過させるため、気密性に最大限配慮する。
【００１９】図４断面Ｂ−Ｂに示す様に、部品間の接触面で隙間が生じる可能性ある次の所（▲１▼、▲２▼、▲３▼）から洩れが生じないよう、それぞれの接触面にはシール剤２４を用いて気密性を向上させ、洩れ防止に工夫している。即ち
▲１▼、各フィルター１５〜１８はスライドレール（フィルターの番号に合わせて１５Ｓ〜１８Ｓ）に収納されるが、上記各フィルター１５〜１８の外周とスライドレール１５Ｓ〜１８Ｓとの合せ面の隙間。
▲２▼、上記各スライドレール１５Ｓ〜１８Ｓは、スライドレール取付け部材１９に取付けられるが、上記各スライドレール１５Ｓ〜１８Ｓと上記スライドレール取付部材１９との隙間。
▲３▼、更に、上記スライドレール取付部材１９と上記吸着・脱臭装置本体１２の枠体２７の内面との隙間。
▲４▼、加えて上記各フィルターの前後面と上記吸着・脱臭装置本体１２の枠体２７の内面との隙間
特に、上記各フィルター１５〜１８とフィルター収納用各スライドレール１５Ｓ〜１８Ｓとの間から、漏れが生じないよう、隙間を最小限に抑え、揮発ガスがフィルターを通過せず下方に放出される事を防止している。
以上の通り、
少なくとも、各フィルター１５〜１８とフィルター取付用各スライドレール１５Ｓ〜１８Ｓ、各スライドレール１５Ｓ〜１８Ｓとスライドレール取付部材１９、上記取付部材１９と上記吸着・脱臭装置本体１２の枠体２７の内側、各フィルターと上記吸着・脱臭装置本体１２の枠体２７の内面、等との隙間から通り抜けて各フィルター１５〜１８で吸着・消臭されることなく排出口２５から放出される、と言う事の無いように設定されている。
【００２０】上記中和剤２０は、グラフト重合法を応用した、分子レベルで化学吸着するが次の化学式によるものである。即ちホルムアルデヒド（ＨＣＯＨ）を確実に捕らえて吸着・脱臭する化学構造としての官能基（ＳＯ３ＨＯＮＨ２）が化学結合によりパルプボール（再生セルロース）やデンプンに取り付けられている。化学反応によってホルムアルデヒドをアルデヒドオキシム（ＣＨ３ＮＯ）と水に変換する。
Ｒ−ＳＯ３ＨＯＮＨ２＋ＨＣＨＯ→ＣＨ３ＮＯ＋Ｈ２Ｏ  Ｒは基材。
上記中和剤２０は、ホルムアルデヒド分子を化学吸着するのが特長であるが、アクリル酸、アセトンの微量の揮発ガスも吸着・消臭する。
上記中和剤２０の取付け位置は上記ファン２１の吸気取込口の近くとし、各フィルター１５〜１８を通過して、かなりの揮発ガスが吸着・脱臭されて来た微量の残留揮発ガスと、上記中和剤２０の蒸発ガスがミックスし化学反応を起こし無臭・無害状態となりながら、ファン２１に吸引されて、無臭・無害の状態で排気口２５から放出される、と言うのが特徴である。
【００２１】上記マイナスイオン発生装置２３を上記吸着・脱臭処理装置本体１２の排気口２５に取付け、室内に絶えずマイナスイオンが放出され、人に優しい爽やかな快い環境を演出してくれ、更に揮発ガスの吸着効果も期待できるので、マイナスイオン発生装置２０は大きな特徴となっており、その効果は大きい。
上記マイナスイオン発生装置２０を吸着・脱臭装置の空気排出口２５に置き、マイナスイオンを放出させ爽やかな環境作りを演出させる。
【００２２】上記吸引・放出装置のモーター２１＆ファン２２の性能は、吸着・脱臭機能を充分果たすために、装置として必要な適正風量を確保する事を前提として、更にファン騒音などを配慮しながら決める。
上記モーター２１とファン２２の性能は、吸着・脱臭装置が揮発ガスの吸着・脱臭機能を果たす事を前提に決める。
即ち、ドラフトチャンバー排気孔９での風量は、上記ドラフトチャンバー内の揮発ガスを遅滞なく上記吸着・脱臭処理装置本体１２へ排出させる事、及び上記吸着・脱臭処理装置本体１２が吸着・脱臭機能を十分に果たす事を前提に、必要風量が確保できる様に上記モーター２１とファン２２の性能を決定する。
ドラフトチャンバー排気孔９での風量を適性量より大きくすると、上記特殊フィルターでの吸着が十分行われず機能を果たさない。
逆に、ドラフトチャンバー排気孔９での風量を適性量より少なくすると、上記揮発ガス吸着・脱臭処理装置本体１２への吸引が不十分となり、吸着・脱臭が十分行われず、揮発ガス吸着・脱臭装置としての機能を果たさなくなる。
【００２３】また、本発明の別の実施例として、上記揮発ガス吸着・脱臭装置本体１２に上記ドラフトチャンバー１を一体的に結合させたので、揮発ガスを導く連結ダクト１１が不用となり、かつ有機溶剤揮発ガス吸着・脱臭装置システム全体がコンパクトになる特徴がある。
図５は上記揮発ガス吸着・脱臭処理装置本体１２の上面に、ドラフトチャンバー１が載置された一形態を示す正面図と側面図である。この場合は、上記揮発ガス吸着・脱臭処理装置本体１２の上面の連結部１３は除去され、ドラフトチャンバー１が上記処理装置本体１２に載置されるので、ドラフトチャンバー１の排気孔９は不要となり除去される。
【００２４】ドラフトチャンバー１を吸着・脱臭処理装置本体１２に載置したのに伴い、作業台や室のスペースも有効に使用する事が出来、吸着・脱臭装置のコスト及び装置利用のランニングコストも節約できる等、数々の合理化が図られる特徴がある。
そのドラフトチャンバー１には図６Ｚ視の通り、底面にスリットあるいは小さな孔を明け、ドラフトチャンバー１内の揮発ガスが、上記吸着・脱臭処理装置本体１２の中に直接に取り入れられる様にしており、後の処理方法・構造は前述の実施例同様に、上記各フィルター１５〜１８、上記中和剤２０を経て吸着・脱臭され、ファン２２により排出口２５から放出される。
【発明の効果】
【００２５】この発明によれば、ネイリストは上記ドラフトチャンバー１の中にネイルアートに必要な有機溶剤、除光液、筆等を載置し、またネイリストは上記ドラフトチャンバー１の中に手を入れてネイルアート作業を行うと同時に、お客も上記ドラフトチャンバー１の中に手を入れてネイルアート作業を受ける為、ネイリスト及びお客共に上記有機溶剤の揮発ガスを直接吸うことがないので、両者共に上記揮発ガスを吸う事に伴う健康上の問題は解決できる効果をもたらす。
さらに、室内に上記揮発ガスが拡散することはほとんどないので、室内にいる他のネイリストやお客の上記揮発ガスを吸う事がないので、これに伴う健康上の問題もクリアできる結果をもたらす効果は大きい。
ドラフトチャンバー１を上記吸着・脱臭処理装置本体１２に載置した事により、作業台や室のスペースも有効に使用する事が出来、上記揮発ガス吸着・脱臭装置のコスト及び同装置利用のランニングコストを節約できるのでその効果は大きい。
【００２６】上記揮発ガス吸着・脱臭フィルター装置、上記中和剤２０が合理的に上記吸着・脱臭処理装置本体１２内に配置されている。即ち、上記活性炭素フィルターは複数段に分割（本実施例では上下二段１６，１７）されており、上記揮発ガスの濃度にあわせて、高濃度の部位には活性炭素量の多い上記活性炭素フィルター１６を、低濃度の部位には活性炭素の量を減らした上記活性炭素フィルター１７を設置し、続いてアセトアルデヒドは上記ケミカルフィルター１８で処理され、最後に処理されずに残った微量の上記揮発ガスは上記中和剤２０で吸着・脱臭され順次、効果的に処理され、上記揮発ガスは無臭・無害となって外部へ放出されると言う効果がある。
【００２７】また、上記吸引・放出装置の放出部近傍に、上記マイナスイオン発生装置２３を設置しマイナスイオンを発生させ快い爽やかな職場空間を演出してくれる特徴がある。以上
【図面の簡単な説明】
【００２８】
【図１】本発明装置の一実施形態における揮発ガス吸着・脱臭装置の平面図。
【図２】ドラフトチャンバーの正面図及び側面図
【図３】本発明装置の一実施形態における揮発ガス吸着・脱臭装置の正面図（ａ）及び側面図（ｂ）。
【図４】図３（ｂ）のＢ−Ｂ断面図。
【図５】本発明の他の実施例である揮発ガス吸着・脱臭処理装置本体の上面に、ドラフトチャンバーを載置した一形態を示す正面図（ａ）と側面図（ｂ）である。
【図６】図５のＺ視図５ドラフトチャンバー１の底面にスリットあるいは小さな孔を明けた一実施例を示す。
【符号の説明】
【００２９】  １    ドラフトチャンバー
２    ネイリスト作業孔
３    ネイル客用孔
４    ネイリスト作業台
５    ネイル客手首載置レスト台
６    除光液、筆、等載置するエリア
７    スリット
８    フィルター
９    ドラフトチャンバー排気孔
１０    バンド
１１    連結ダクト
１２    吸着・脱臭処理装置本体
１３    吸着・脱臭処理装置本体連結部
１４    ガイド部材
１５    集塵  フィルター
１６    上段  活性炭素フィルター
１７    下段  活性炭素フィルター
１８    ケミカル  フィルター
１５Ｓ  スライドレール（集塵  フィルター用）
１６Ｓ  スライドレール（上段  活性炭素フィルター用）
１７Ｓ  スライドレール（下段  活性炭素フィルター用）
１８Ｓ  スライドレール（ケミカル  フィルター用）
１９    スライドレール取付部
２０    中和剤
２１    モーター
２２    ファン
２３    マイナスイオン発生装置
２４    シール剤
２５    排出口
２６    排出口メッシュ
２７    吸着・脱臭処理装置本体１２の枠体
【図１】
2007098375.tif 000003
【図２】
2007098375.tif 000004
【図３】
2007098375.tif 000005
【図４】
2007098375.tif 000006
【図５】
2007098375.tif 000007
【図６】
2007098375.tif 000008